(57)【要約】【課題】除去すべきむだ毛の視認を行うことができて、手指の敏感な感覚を利用して安全に行うことができ、しかも除去の仕上がりを綺麗にすることのできるむだ毛切りを提供すること。【解決手段】各刃部１２の一側面を、各持ち手１１の一側端面の延長面１１ａから後退させてこれを透視端面１３とし、これらの透視端面１３と両持ち手１１の間の隙間１４を通して、各刃部１２間に位置するむだ毛を透視し得るようにしたこと。【選択図】図２
2012223485.tif 000002
【特許請求の範囲】
【請求項１】
使用者によって互いに開閉される２本の持ち手と、その先端にて対向してむだ毛を切断する刃部とを有したむだ毛切りであって、
前記各刃部の一側面を、前記各持ち手の一側端面の延長面から後退させてこれを透視端面とし、これらの透視端面と前記両持ち手の間の隙間を通して、前記各刃部間に位置するむだ毛を透視し得るようにしたことを特徴とするむだ毛切り。
【請求項２】
前記各持ち手の、その一側端面の前記延長面と、前記各刃部の透視端面との間の部分に、肌保護部を形成したことを特徴とする請求項１に記載のむだ毛切り。
【発明の詳細な説明】
【技術分野】
【０００１】
本発明は、使用者が摘んで使用することのできる、ピンセット型のむだ毛切りに関するものである。
【背景技術】
【０００２】
すね毛、長くなりすぎた鼻毛、余分な眉毛等の「むだ毛」は、これを除去したいものである。むだ毛を除去する道具としては、「電動シェーバー」や「はさみ」、あるいは「毛抜き」が知られているが、電動シェーバーは、肌に傷を付けることなく安全にむだ毛除去が比較的広い面積にわたって行えるが、除去しているむだ毛を視認できないこともあって、「際剃り」のような細かな除去はできない。また、はさみは、除去部分が見易く、細かな除去には適しているものの、刃がむき出しになっており先端が尖っていることもあって、肌に傷を付けることがあり得る。しかも、はさみは、持ち手と先端部とに距離があるため、むだ毛の除去作業に「慣れ」あるいは熟練が必要である。
【０００３】
これに対して「毛抜き」は、持ち手と先端の刃部との距離が短いため、除去作業にブレが生じにくく、視界も確保し易いことから、むだ毛の除去を毛抜で抜いて行う人は多い。しかしながら、むだ毛を抜くことは、痛いだけでなく、毛根を傷めて炎症を引き起こすことがあるため、十分安全な除去具とは言えない。
【０００４】
このようなむだ毛処理を行うための道具は、例えば特許文献１にて提案されている。
【先行技術文献】
【特許文献】
【０００５】
【特許文献１】特開平１１−５６４４９号公報、要約、代表図
【発明の概要】
【発明が解決しようとする課題】
【０００６】
特許文献１には、「鼻毛切りの前端部を鼻腔に合わせることにより、安全にして事故を防止する」ことを目的とした、「鼻毛切り」が提案されているが、この「鼻毛切り」は、図７にも示すように、「刃体前端部をスプン状突部を設けた上下係合刃体で、鼻腔内部の鼻毛を、操作レバーを介して押圧切断するように構成した」ものである。
【０００７】
この特許文献１の鼻毛切りは、一見するところ「爪切りタイプ」であるため、「安全にして事故を防止する」ことはできると思われるが、「上下係合刃体を、刃体前端部にスプン状突部を設けた」ものとしてあるため、互いに対向し合う刃部の間の「むだ毛」が見にくく、例えば、図１に示すような眉毛切りとして使用する場合等においては、きれいに整えることができないのではないかと考えられる。
【０００８】
そこで、本発明者等は、むだ毛を安全できれいに切ることができるようにするにはどうしたらよいか、について種々検討を重ねてきた結果、本発明を完成したのである。
【０００９】
すなわち、本発明の目的とするところは、除去すべきむだ毛の視認を行うことができて、手指の敏感な感覚を利用して安全に行うことができ、しかも除去の仕上がりを綺麗にすることのできるむだ毛切りを提供することにある。また、本発明の他に目的とするところは、安全性をより一層高めることのできるむだ毛切りを提供することにある。
【課題を解決するための手段】
【００１０】
以上の課題を解決するために、まず、請求項１に係る発明の採った手段は、後述する最良形態の説明中で使用する符号を付して説明すると、
「使用者によって互いに開閉される２本の持ち手１１・１１と、その先端にて対向してむだ毛を切断する刃部１２・１２とを有したむだ毛切り１０であって、
各刃部１２の一側面を、各持ち手１１の一側端面の延長面１１ａから後退させてこれを透視端面１３とし、これらの透視端面１３と両持ち手１１の間の隙間１４を通して、各刃部１２間に位置するむだ毛を透視し得るようにしたことを特徴とするむだ毛切り１０」
である。
【００１１】
すなわち、このむだ毛切り１０は、図２または図４に示すように、使用者によって互いに開閉される２本の持ち手１１・１１と、これらの先端にて対向してむだ毛を切断する刃部１２・１２とを有したものであり、図１に示すように、「ピンセット型」になっているものである。これにより、図１に示すように、使用者が２本の持ち手１１・１１を摘んで閉じれば、図３及び図５の各（ａ）に示すように、持ち手１１・１１の先端にて対向している刃部１２・１２も閉じて、これらの刃部１２・１２間に入っているむだ毛が切られることになるのである。勿論、このむだ毛切り１０は、ピンセット型になっているのであるから、使用者が２本の持ち手１１・１１を摘んでいる力を緩めれば、両刃部１２間が開くだけであって、肌に傷をつけることはない。
【００１２】
このとき、各持ち手１１の先端には、互いに対向する刃部１２が形成してあるのであるから、各刃部１２は持ち手１１に略直交していることになる。このため、当該むだ毛切り１０を使用者がむだ毛に向けたとき、各刃部１２は肌と略平行になるし、摘んだ指に力を入れれば、各刃部１２は肌と平行にむだ毛に向かって移動し、このむだ毛を切断することになる。この場合、各刃部１２は肌と略平行なのであるから肌に傷を付けることはなく、しかも、むだ毛を根元から切断するのである。従って、当該むだ毛切り１０によるむだ毛除去は、肌に傷を付けることなく、しかも綺麗に仕上げるのである。
【００１３】
さらに、このむだ毛切り作業は、使用者が２本の持ち手１１・１１を摘んで閉じるだけで行えるから、その作業時にむだ毛切り１０の位置ズレを生ずることは殆どなく、狙ったむだ毛のみを正確に除去できる。それだけでなく、このむだ毛切り１０は、ピンセット型になっているのであるから、切ろうとしたむだ毛が思っていたものと異なっていた場合には、持ち手１１を摘んでいる力を緩めることによってこれらが開くから、別のむだ毛への位置変えが肌に傷をつけることなく行える。
【００１４】
勿論、各刃部１２は持ち手１１の先端に形成したものであるし、２本の持ち手１１・１１の先端にて対向したものであるから、各刃部１２によるむだ毛除去は、髭で言うところの「深剃り」のように、肌表面に残り部分がない状態で、つまり綺麗な状態で行えることは前述した通りである。
【００１５】
そして、このむだ毛切り１０においては、各刃部１２の一側面を、各持ち手１１の一側端面の延長面１１ａから後退させてこれを透視端面１３としてあるから、例えば図２、及び図３の（ａ）に示すように、この透視端面１３と両持ち手１１の間の隙間１４を通して、各刃部１２間及びその周囲の状態が、直接または鏡を通して透視できることになる。換言すれば、この透視端面１３を有するむだ毛切り１０は、両刃部１２間に位置するむだ毛やその周囲が透視できるものであり、このむだ毛と両刃部１２との位置関係も透視できるものである。
【００１６】
このむだ毛と両刃部１２との位置関係が透視できるのであれば、そのむだ毛が切りたいものなのか、そうでないかの確認ができるから、結果として、むだ毛の除去作業を、正確で綺麗に行えることになるのである。
【００１７】
従って、この請求項１に係るむだ毛切り１０は、除去すべきむだ毛の視認を行うことができて、手指の敏感な感覚を利用して安全に行うことができ、しかも除去の仕上がりを綺麗にすることができるものとなっているのである。
【００１８】
上記課題を解決するために、請求項２に係る発明の採った手段は、上記請求項１に記載のむだ毛切り１０について、
「各持ち手１１の、その一側端面の延長面１１ａと、各刃部１２の透視端面１３との間の部分に、肌保護部１５を形成したこと」
である。
【００１９】
すなわち、この請求項２に係るむだ毛切り１０では、図４、図５の（ｃ）、及び図６に示すように、各持ち手１１の、その一側端面の延長面１１ａと、各刃部１２の透視端面１３との間の部分に、肌保護部１５を形成したものである。
【００２０】
肌保護面１５は、図４及び図６に示すように、各刃部１２の透視端面１３を覆うことになるものであるから、各透視端面１３が使用者の肌に直接触れることがないようにしているものである。つまり、これらの肌保護面１５が存在していることによって、むだ毛切り作業中に、透視端面１３の角部が肌に不用意に触れるのを防止しているのである。各透視端面１３の角部が肌保護面１５によって肌に触れないようになっているのであるから、当該むだ毛切り１０の使用時に、肌に傷が付けられることはないのである。
【００２１】
従って、この請求項２に係るむだ毛切り１０は、上記請求項１のそれと同様な機能を発揮する他、安全性がより一層高められたものとなっているのである。
【発明の効果】
【００２２】
以上、説明した通り、本発明においては、
「使用者によって互いに開閉される２本の持ち手１１・１１と、その先端にて対向してむだ毛を切断する刃部１２・１２とを有したむだ毛切り１０であって、
各刃部１２の一側面を、各持ち手１１の一側端面の延長面１１ａから後退させてこれを透視端面１３とし、これらの透視端面１３と両持ち手１１の間の隙間１４を通して、各刃部１２間に位置するむだ毛を透視し得るようにしたこと」
にその構成上の主たる特徴があり、これにより、除去すべきむだ毛の視認を行うことができて、手指の敏感な感覚を利用して安全に行うことができ、しかも除去の仕上がりを綺麗にすることのできるむだ毛切り１０を提供することができるのである。
【図面の簡単な説明】
【００２３】
【図１】本発明に係るむだ毛切り１０を使用している状態の斜視図である。
【図２】実施例１に係るむだ毛切り１０の斜視図である。
【図３】同むだ毛切り１０を示すもので、（ａ）は刃部１２が閉じたときのむだ毛切り１０の拡大正面図、（ｂ）は同平面図、（ｃ）は同左側面図である。
【図４】実施例２に係るむだ毛切り１０の斜視図である。
【図５】同むだ毛切り１０を示すもので、（ａ）は刃部１２が閉じたときのむだ毛切り１０の拡大正面図、（ｂ）は同平面図、（ｃ）は同左側面図である。
【図６】同むだ毛切り１０を鼻毛切りとして使用しているときの平面図である。
【図７】特許文献１に示された技術を示す分解斜視図である。
【発明を実施するための形態】
【００２４】
次に、図面に示した実施の形態に従って、上記各請求項に係る発明を説明すると、図１には、実施形態のむだ毛切り１０を使用してむだ毛の一種である「眉毛」を除去しようとしている状態が示してある。勿論、眉毛や鼻毛を使用者自身が除去しようとする場合は、鏡を見ながら行うものであり、図１は、使用者が鏡を通して見ている像を示している。
【００２５】
（実施例１）
この実施例１に係るむだ毛切り１０は、図２及び図３に示したように、使用者が指で摘むことになる一対の持ち手１１を備えており、これら一対の持ち手１１の後端は両者の開閉が行えるように連結してある。各持ち手１１の先端には刃部１２が形成してあって、これら各刃部１２は、図３の（ａ）に示したように、互いに対向し合うように、各持ち手１１の先端にて略直交状態で一体化してある。なお、図３の（ａ）では、各刃部１２が閉じた状態が示してある。
【００２６】
また、各持ち手１１における一側面（図２では手前側の面）の前部は切り欠いてあり、この切り欠きは、各刃部１２にも及んでいる。つまり、各持ち手１１の一側面の前部及び刃部１２は、図２中の二点鎖線で示した四角の延長面１１ａ（図３の（ｂ）では線になっている）から後退させてあるのであり、これに伴って、刃部１２の該当する面も後退してこれが透視端面１３となっているのである。勿論、両持ち手１１間には、図２及び図３の（ｃ）に示したように、隙間１４が形成されている。
【００２７】
以上の結果、各刃部１２の透視端面１３は、各持ち手１１側の隙間１４と切り欠きとから、透視できるものとなっており、従って、各刃部１２の先端（刃先）は、両持ち手１１を指で摘んでいても良く見える、つまり透視できるものとなっているのである。
【００２８】
従って、このむだ毛切り１０を使用する際には、指で両持ち手１１を摘んで除去したいむだ毛に向けて近付けるとともに、むだ毛が両刃部１２間に入ったことを確認して両持ち手１１に力を入れるだけで、当該むだ毛の除去が行えるのである。勿論、両刃部１２間に入ったむだ毛が除去しなくてもよいものである場合、当該むだ毛切り１０を少しズラせば、正しいむだ毛の除去が行えることは言うまでもない。
【００２９】
（実施例２）
図４及び図５には、本発明の実施例２に係るむだ毛切り１０が示してあるが、この実施例２のむだ毛切り１０では、上記実施例１のそれと「肌保護面１５」が存在する以外は同じであるため、実施例１と共通する部材について同一符号を図中に付して、その説明は省略する。
【００３０】
さて、この実施例２に係るむだ毛切り１０では、図４に示したように、各持ち手１１の、その一側端面の延長面１１ａと、各刃部１２の透視端面１３との間の部分に、肌保護部１５を形成したものである。この肌保護面１５は、その角部や外面において、各持ち手１１の面と滑らかに連続しているものであり、言わば持ち手１１の一部となっているものである。
【００３１】
この実施例２に係るむだ毛切り１０が肌保護面１５を備えていることによって、例えば図６に示したように、当該むだ毛切り１０を使用して鼻毛を除去する場合に鼻腔内に傷を付けることがない。何故なら、この肌保護面１５は、各刃部１２の角部に肌が直接当たらないようにしていると同時に、各持ち手１１の各角部も肌に直接当たらないようにしているからである。
【００３２】
勿論、この肌保護面１５の外側角部は、丸みを帯びた状態に加工しておけば、当該肌保護面１５自身が肌に当たっても傷が付かないだけでなく、当該むだ毛切り１０を手の中に包み込んだ場合であっても、あるいはバッグの中にそのまま入れても、手やバッグ内に傷を付けることはない。
【符号の説明】
【００３３】
１０    むだ毛切り
１１    持ち手
１１ａ  延長面
１２    刃部
１３    透視端面
１４    隙間
１５    肌保護面
【図１】
2012223485.tif 000003
【図２】
2012223485.tif 000004
【図３】
2012223485.tif 000005
【図４】
2012223485.tif 000006
【図５】
2012223485.tif 000007
【図６】
2012223485.tif 000008
【図７】
2012223485.tif 000009